(57)【要約】【課題】外部記憶媒体が接続された場合に安定したリードライト動作を保証することができる電子機器、及びリードライト動作の制御方法を提供することである。【解決手段】実施形態に係る電子機器は、記憶媒体が接続される接続部と、記憶媒体が接続部に接続された際に、記憶媒体から記憶媒体のファイルシステム情報を取得し、ファイルシステム情報に基づいて、前記記憶媒体に対してリード動作のみを実行する制御部と、を備える。【選択図】図１
2017021565.tif 000002
【特許請求の範囲】
【請求項１】
記憶媒体が接続される接続部と、
前記記憶媒体が前記接続部に接続された際に、当該記憶媒体から当該記憶媒体のファイルシステム情報を取得し、前記ファイルシステム情報に基づいて、前記記憶媒体に対してリード動作のみを実行する制御部と、を備える電子機器。
【請求項２】
前記制御部は、前記ファイルシステム情報に含まれるデータの転送速度とデータ修復機能の有無に応じて、前記記憶媒体に対してリード動作のみを実行する、請求項１に記載の電子機器。
【請求項３】
前記制御部は、前記記憶媒体が前記接続部に接続された際に当該記憶媒体から個体情報を取得し、前記転送速度及び前記データ修復機能の有無と、前記個体情報に含まれる前記記憶媒体の処理速度とに基づいて、前記記憶媒体に対してリード動作のみを実行する、請求項２に記載の電子機器。
【請求項４】
前記制御部は、前記記憶媒体がコンテンツ保護機能により保護された保護データを格納し、且つデータ転送で遅れが発生する前記転送速度、又は前記処理速度である場合、前記記憶媒体に対して前記保護データのリード動作のみを実行する、請求項３に記載の電子機器。
【請求項５】
前記制御部は、前記記憶媒体がデータ転送で遅れが発生する前記転送速度、若しくは前記処理速度、又は前記データ修復機能を有しない際に、前記記憶媒体に対してリードのみを実行する、請求項３に記載の電子機器。
【請求項６】
記憶媒体が接続された際に、当該記憶媒体から当該記憶媒体のファイルシステム情報を取得し、
前記ファイルシステム情報に基づいて、前記記憶媒体に対してリード動作のみを実行する、リードライト動作の制御方法。
【発明の詳細な説明】
【技術分野】
【０００１】
本発明の実施形態は、電子機器、及びリードライト動作の制御方法に関する。
【背景技術】
【０００２】
近年、外部ストレージデバイス（外部記憶装置）をＵＳＢ（Ｕｎｉｖｅｒｓａｌ  Ｓｅｒｉａｌ  Ｂｕｓ）ポート等の接続端子に接続可能なデジタルテレビやＨＤＤレコーダ等が普及しつつある。このようなデジタルテレビやＨＤＤレコーダでは、ＵＳＢポートに接続された外部記録装置に対して録画を行ったり、或いは外部記録装置に記録された画像データ（静止画像データ及び動画像データ）を再生したりする機能を有する。
【０００３】
ここで、外部記録装置に用いられるファイルシステムとしては複数が考えられる。例えば、ＦＡＴ（Ｆｉｌｅ  Ａｌｌｏｃａｔｉｏｎ  Ｔａｂｌｅ）やＸＦＳがある。ＦＡＴは、管理領域の小ささや高速アクセス性、対応する装置が多く、汎用性が高い等のメリットがあり、例えばメモリカード当の可搬性の記憶媒体等に使用される。一方、ＸＦＳは、安定性や信頼性に優れると共に、帯域保証等の機能もあることから、例えば、録画用の記録装置等の用途に使用するのに優れている。しかしながら、自機と異なるファイルシステムを有する記憶媒体が接続された電子機器は、想定外の不具合を生じる場合がある。
【先行技術文献】
【特許文献】
【０００４】
【特許文献１】特開２０１３−１７５２７３号公報
【発明の概要】
【発明が解決しようとする課題】
【０００５】
実施形態が解決しようとする課題は、外部記憶媒体が接続された場合に安定したリードライト動作を保証することができる電子機器、及びリードライト動作の制御方法を提供することである。
【課題を解決するための手段】
【０００６】
実施形態に係る電子機器は、記憶媒体が接続される接続部と、前記記憶媒体が前記接続部に接続された際に、当該記憶媒体から当該記憶媒体のファイルシステム情報を取得し、前記ファイルシステム情報に基づいて、前記記憶媒体に対してリード動作のみを実行する制御部と、を備える。
【図面の簡単な説明】
【０００７】
【図１】図１は、電子機器本体を中心として構成される電子機器の一例を概略図である。
【図２】図２は、第１の実施形態の電子機器本体の一例を示すブロック図である。
【図３】図３は、ファイルシステムの情報のテーブルの一例を示す図である。
【図４】図４（ａ）は、個体性能の一例を示す図であり、図４（ｂ）は、個体情報のテーブルの一例を示す図である。
【図５】図５は、第１の実施形態の電子機器のリード及びライト動作の制御方法を示すフローチャートである。
【図６】図６は、第２の実施形態の電子機器本体の一例を示すブロック図である。
【図７】図７は、第２の実施形態の外部記憶媒体のファイルシステムの情報のテーブルの一例を示す図である。
【図８】図８は、第２の実施形態の電子機器のリード及びライト動作の制御方法を示すフローチャートである。
【図９】図９は、変形例に係るポップアップの一例を示す図である。
【図１０】図１０（ａ）は、変形例に係るポップアップの一例を示す図であり、図１０（ｂ）は、変形例に係るポップアップの一例を示す図である。
【発明を実施するための形態】
【０００８】
以下、図面を参照して実施形態の説明をする。  
（第１の実施形態）  
図１は、電子機器本体５を中心として構成される電子機器１の一例を概略図である。  
電子機器１は、例えば、第１の記憶媒体３０６、及び／又は第２の記憶媒体３０８等と接続される電子機器本体５である。電子機器本体５は、例えば、テレビジョン（ＴＶ）受信機、表示装置に接続されるレコーダ、パーソナルコンピュータ（ＰＣ）、又はサーバ等である。第１の記憶媒体３０６は、例えば、ハードディスクドライブ（ＨＤＤ）、及びソリッドステートドライブ（ＳＳＤ）等である。第２の記憶媒体３０８は、例えば、ＳＤ（Ｓｅｃｕｒｅ  Ｄｉｇｉｔａｌ）メモリカード、ＭＭＣ（Ｍｕｌｔｉｍｅｄｉａ  Ｃａｒｄ）、メモリスティック、及びユニバーサルシリアルバス（ＵＳＢ）フラッシュドライブ等である。
【０００９】
電子機器本体５は、衛星及び／又は地上波（地上デジタル）等のデジタル放送で配信されるコンテンツの構成する信号を受信し、受信したコンテンツの構成する信号を変換してコンテンツとして表示する。電子機器本体５には、第１の記憶媒体３０６や第２の記憶媒体３０８が着脱可能になっており、電子機器本体５は、録画番組等の動画、写真等の静止画や音楽等の情報を第１の記憶媒体３０６や第２の記憶媒体３０８に記録（ライト）及び／又は再生（リード）することができる。
【００１０】
図２は、本実施形態の電子機器本体５の一例を示すブロック図である。  
本実施形態の電子機器本体５は、アンテナ部１０４と、外部入力端子１０５と、外部出力端子１０６及び１０７と、入力部１１１と、復調部１１２と、信号処理部１１３と、ＯＳＤ信号生成部１１５と、グラフィック処理部１１６と、映像処理部１１７と、表示部１１８と、音声処理部１１９と、音声出力部（スピーカ）１２０と、操作部２０１と、受信部２０２と、通信インターフェース（Ｉ／Ｆ）２０３と、ネットワーク制御部２０４と、ＵＳＢ（Universal Serial Bus）インターフェース（Ｉ／Ｆ）２０５と、ＨＤＭＩ（登録商標）（High-Definition Multimedia Interface）インターフェース（Ｉ／Ｆ）２０６と、カードインターフェース（Ｉ／Ｆ）２０７と、カードホルダ２０８と、システムコントローラ（システム制御部（制御部））２５０と、を備えている。
【００１１】
アンテナ部１０４は、放送波等を受信し、入力部１１１に出力する。  
外部入力端子１０５は、専用回線、端末機器及び／又は外部機器等と接続するための端子である。  
外部出力端子（音声出力端子）１０６は、後述する音声処理部１１９から出力される音声信号を接続される音声機器に出力するための端子である。  
外部出力端子（映像出力端子）１０７は、後述する映像処理部１１７から出力される映像を接続される表示機器に出力するための端子である。
【００１２】
入力部１１１は、受信信号を選択する少なくとも１つのチューナを備える。入力部１１１は、例えば、図５に示すように、地上デジタル放送信号、ＢＳ（Broadcasting satellite）放送信号、及びＣＳ（Communications satellite）信号放送等に対応する８つのチューナを備えている。入力部１１１は、アンテナ部１０４で受信される放送事業者が放送用回線及び／又は空間波により供給されるコンテンツを構成する信号を少なくとも１つのチューナで取得する。入力部１１１は、外部入力端子１０５から信号を取得することもできる。入力部１１１は、取得した信号を復調部１１２に出力する。
【００１３】
ここで、地上デジタル放送信号は、地上波放送であり、地上放送波として空間波や回線等で伝送される信号であり、ＢＳ及びＣＳ放送信号は、衛星波放送であり、衛星波として無線通信によって伝送される信号である。ここで、地上放送波及び衛星波をまとめて放送波と称する場合もある。
【００１４】
復調部１１２は、変調されている信号を復調する。復調部１１２は、複数のチューナに対応する複数の復調部を備えている。復調部１１２は、例えば、伝送路で伝送するために適合するように変調された映像信号及び音声信号を復調し、復調した映像信号及び音声信号を信号処理部１１３へ出力する。なお、復調部１１２は、入力部１１１と一体に形成されていてもよい。
【００１５】
信号処理部１１３は、入力部１１１から取得した放送の信号を映像信号（ビデオ）と音声信号（オーディオ）と表示制御情報とに分離する。さらに、信号処理部１１３は、符号化された映像信号に対して復元処理（復号処理）を実行する。信号処理部１１３は、復元処理によって復号した映像信号をグラフィック処理部１１６へ出力し、音声信号を音声処理部１１９に出力する。また、信号処理部１１３は、コンテンツ再生時には、後述するシステムコントローラ２５０から入力されたコンテンツの再生信号を選択し、所定のデジタル信号処理を施し、グラフィック処理部１１６及び音声処理部１１９に出力する。
【００１６】
ＯＳＤ信号生成部１１５は、ＯＳＤ（On Screen Display）信号を生成する。ＯＳＤ信号生成部１１５は、生成したＯＳＤ信号をグラフィック処理部１１６に出力する。
【００１７】
グラフィック処理部１１６は、信号処理部１１３から供給されるデジタルの映像信号に、ＯＳＤ信号生成部１１５で生成されるＯＳＤ信号を重畳して出力する機能を有する。このグラフィック処理部１１６は、信号処理部１１３の出力映像信号と、ＯＳＤ信号生成部１１５の出力ＯＳＤ信号とを選択的に出力すること、また、両出力を組み合わせて映像処理部１１７へ出力することができる。
【００１８】
映像処理部１１７は、映像信号及びＯＳＤ信号を表示可能な所定の解像度及び出力方式に変換し、変換した映像信号を出力する。例えば、後述する表示部１１８が電子機器本体５に接続されている場合、映像処理部１１７は、表示部１１８での表示に適した解像度及び出力方式に変換し、表示部１１８へ出力する。映像処理部１１７は、外部機器として接続される外部モニタ装置あるいは投影装置（プロジェクタ装置）等の出力端に前述の映像信号を出力してもよい。
【００１９】
音声処理部１１９は、入力部１１１が受信する番組の音声／音響信号（オーディオ）をデコードし、音声出力部１２０に出力する。  
音声出力部１２０は、音声を出力する機器等であり、例えば、スピーカ等である。
【００２０】
操作部２０１は、ユーザによる直接操作に対応する制御コマンドを後述するシステムコントローラ２５０に入力する。  
受信部２０２は、外部端末、例えば、リモコン３０２、及び携帯型端末等からの入力信号に対応する制御コマンドを後述するシステムコントローラ２５０に入力する。
【００２１】
通信インターフェース（Ｉ／Ｆ）２０３は、例えば、ＷｉＦｉ（Wireless Fidelity）規格等に準拠する近距離無線通信機器との間の無線通信を実現する。なお、近距離無線通信規格としては、例えばＢｌｕｅｔｏｏｔｈ（登録商標）規格やＮＦＣ（Near Field Communication）等も利用可能である。通信インターフェース１２１は、また、有線方式／無線方式のいずれであってもよく、例えば、ワイヤレスキーボードやマウス等との間の信号の送受信が可能な通信ユニット等が接続する。また、通信インターフェース１２１は、例えば、非接触のカード媒体との間の通信が可能なカードリーダ（読取部）３０４等との通信もできる。
【００２２】
ネットワーク制御部２０４は、外部ネットワーク、例えば、インターネット（ＩＰネットワーク）へのアクセスを制御する。ネットワーク制御部２０４は、インターネット（ＩＰネットワーク）上で情報の送受信（ネットワーク通信）を実行する。例えば、ネットワーク制御部２０４は、ＩＰネットワークを介して拡張映像の情報を受信することもできる。この場合、ネットワーク制御部２０４は、ＣＰＵ２５１の指示信号に従って入力部１１１に拡張映像信号に入力する。なお、ネットワーク制御部２０４は、基準映像信号及び／又は拡張映像信号を受信し、入力部１１１に出力していてもよい。
【００２３】
ＵＳＢインターフェース（Ｉ／Ｆ）２０５は、例えば、ＵＳＢ規格に準拠する外部機器、例えば、外付けの記憶媒体（記憶装置）である第１の記憶媒体３０６等が接続される。  
ＨＤＭＩインターフェース（Ｉ／Ｆ）２０６は、ＨＤＭＩ規格またはＭＨＬ（Mobile High-definition Link）規格を利用する複数の機器の間の有線通信を可能にする。  
システムコントローラ（システム制御部）２５０は、電子機器本体５の各部の動作を制御するメインコントローラである。すなわち、システムコントローラ２５０は、入力部１１１、復調部１１２、信号処理部１１３、ＯＳＤ信号生成部１１５、グラフィック処理部１１６、映像処理部１１７と、表示部１１８、音声処理部１１９、音声出力部１２０、操作部２０１、受信部２０２、通信インターフェース２０３、ネットワーク制御部２０４、ＵＳＢインターフェース２０５、ＨＤＭＩインターフェース２０６、カードＩ／Ｆ２０７、及びカードホルダ２０８等を制御する。
【００２４】
システムコントローラ２５０は、受信部２０２、通信インターフェース２０３、ネットワーク制御部２０４、ＵＳＢインターフェース２０５、ＨＤＭＩインターフェース２０６、及びカードホルダ２０８等に接続される各種機器を制御することもできる。例えば、システムコントローラ２５０は、第１の記憶媒体３０６及び第２の記憶媒体３０８が接続された場合これらを制御することもできる。また、システムコントローラ２５０は、携帯型端末、例えば、スマートフォン、携帯電話、タブレット、及びノートＰＣ等からの入力信号（操作指示信号）を制御する信号を出力する。
【００２５】
なお、システムコントローラ２５０は、信号処理部１１３から、番組を取得するための各種データや電子番組ガイド（ＥＰＧ）情報、番組属性情報（番組ジャンル等）、字幕情報等（サービス情報、ＳＩやＰＳＩ）を取得することもできる。この場合、システムコントローラ２５０は、これら入力された情報からＥＰＧや字幕を表示するための画像生成処理を実行し、この生成した画像情報をグラフィック処理部１１６へ出力する。
【００２６】
システムコントローラ２５０は、ＣＰＵ２５１と、ＲＯＭ（Read Only Memory）２５２と、ＲＡＭ（Random Access Memory）２５３と、ＮＶＭ(Non-Volatile Memory)２５４と、リード／ライト（リードライト、リード及びライト）制御部２５５と、ファイルシステム判定部２５６と、個体判定部２５７とを含む。システムコントローラ２５０は、これらを回路としてそれぞれを電気的に接続し、各種制御を実行する。また、システムコントローラ２５０は、これらをファームウェアとして備えていてもよい。
【００２７】
ＣＰＵ２５１は、電子機器本体５の動作を制御するメインプロセッサである。また、ＣＰＵ２５１は、システムコントローラ２５０に含まれる複数の回路もそれぞれ制御する。ＣＰＵ２５１は、電子機器本体５に設けられた操作部２０１からの操作情報、又はリモコン３０２から送信される操作情報を、受信部２０２を介して受けることにより、これらの操作情報に従って電子機器本体５の各部をそれぞれ制御する。
【００２８】
ＲＯＭ（読取専用メモリ）２５２は、システムコントローラ２５０が実行する制御プログラムを保持する。  
ＲＡＭ（ランダムアクセスメモリ（ワークメモリ））２５３は、システムコントローラ２５０に作業エリアを提供する。  
ＮＶＭ（不揮発性メモリ）２５４は、電子機器本体５の各種の設定情報、制御情報や、番組表の構築内容情報等の各種データを格納する。
【００２９】
リード／ライト（記録再生）制御部２５５は、番組等のコンテンツや各種情報のリード（再生）や、コンテンツや各種情報のライト（記録、記憶又は録画）を制御する。リード／ライト制御部２５５は、後述するファイルシステム判定部２５６や、個体判定部２５７で取得された情報や判定結果を参照して、接続される外部記憶装置への各種データのリード動作及びライト動作を制御することもできる。
【００３０】
ファイルシステム判定部２５６は、通信Ｉ／Ｆ２０３、ネットワーク制御部２０４、ＵＳＢインターフェース２０５、ＨＤＭＩインターフェース２０６や、カードホルダ２０８を介して接続される外部記憶媒体、例えば、第１の記憶媒体３０６及び第２の記憶媒体３０８をマウントする。ここで、マウントとは、外部記憶媒体を認識し、電子機器本体５から利用、制御可能な状態とすることとする。
【００３１】
外部記憶媒体が接続された場合、ファイルシステム判定部２５６は、電子機器本体５に接続された外部記憶媒体のファイルシステムの情報を取得し、このファイルシステムの情報、具体的には、ファイルシステム名、性能やデータ修復機能の有無等と電子機器本体５の情報とを参照して、接続された外部記憶媒体が電子機器本体５で正常に動作可能（以下、適合）であるかどうかを判定する。ここで、正常に動作可能とは、例えば、録画データに欠けがおきない状態や、再生中の映像データに遅れがでない（動画がカクつかない）、すなわち電子機器本体５及び外部記憶媒体の間でのデータ転送に遅れが発生しない状態で、電子機器本体５が、接続された外部記憶媒体でデータを記録及び再生できることを示す。
【００３２】
また、ファイルシステム判定部２５６は、予め、又は適宜、分析やネットワーク制御部２０４を介してネットワーク等でファイルシステムの情報を取得することもできる。このとき、ファイルシステム判定部２５６は、ファイルシステム名を取得するのみで、ファイルシステム名に紐付けられたファイルシステムの情報と電子機器本体５の情報とを参照して、接続された外部記憶媒体が電子機器本体５に適合するかどうかを判定することができる。
【００３３】
ファイルシステム判定部２５６は、取得したファイルシステムの各種情報や判定結果をファイルシステムの情報のテーブルとしてＲＯＭ２５２、ＲＡＭ２５３、及び／又はＮＶＭ２５４等の記憶媒体に格納する。
【００３４】
図３は、ファイルシステムの情報のテーブルＴ１の一例を示す図である。  
図３のテーブルＴ１（以下、第１のテーブルＴ１）は、ファイルシステム名と、リード／ライト性能と、ファイルシステムのデータ修復機能の有無と、適合するかどうかの判定結果等のファイルシステムの情報を含むテーブルである。ファイルシステム判定部２５６は、例えば、ファイルシステムの情報のテーブルとして第１のテーブルＴ１をＲＯＭ２５２、ＲＡＭ２５３、及び／又はＮＶＭ等の記憶媒体に格納している。例えば、ファイルシステム判定部２５６は、外部記憶媒体としてＵＳＢインターフェース２０５に第１の記憶媒体３０６が接続された場合、第１の記憶媒体３０６のファイルシステムの情報を取得し、電子機器本体５に適合するかどうかを判定する。
【００３５】
図３において、ファイルシステム判定部２５６は、リード／ライト性能が１００Ｍｂｐｓ以上であり、かつデータ修復機能を有する記憶媒体を、電子機器本体５に適合する外部記憶媒体の基準に設定しているものとする。
【００３６】
例えば、ファイルシステム判定部２５６が、ファイスシステム１を備える第１の記憶媒体３０６が電子機器本体５に接続された場合、ファイルシステム名（ファイルシステム１）、リード／ライト性能（１００Ｍｂｐｓ）、及びデータ修復機能の有無（有り）等の情報を第１の記憶媒体３０６から取得する。ファイルシステム判定部２５６は、リード／ライト性能（１００Ｍｂｐｓ）及びデータ修復機能の有無（有り）の情報と電子機器本体５の情報とから、ファイルシステム１が電子機器本体５に適合すると判定する。このとき、ファイルシステム判定部２５６は、ファイルシステム１が電子機器本体５に適合することを示す判定結果のフラグ、例えば、図３に示すように“ＯＫ”をファイルシステム１の判定結果の欄に設定する。
【００３７】
また、例えば、ファイルシステム判定部２５６が、ファイスシステム２を備える第１の記憶媒体３０６が電子機器本体５に接続された場合、ファイルシステム名（ファイルシステム２）、リード／ライト性能（１００Ｍｂｐｓ）、及びデータ修復機能が有無（有り）等の情報を第１の記憶媒体３０６から取得する。ファイルシステム判定部２５６は、リード／ライト性能（１００Ｍｂｐｓ）及びデータ修復機能の有無（有り）の情報と電子機器本体５の情報とから、ファイルシステム２が電子機器本体５で正常に動作できないと判定する。このとき、ファイルシステム判定部２５６は、ファイルシステム２が電子機器本体５に適合しないことを示す判定結果のフラグ、例えば、図３に示すように“ＮＧ”をファイルシステム２の判定結果の欄に設定する。
【００３８】
例えば、ファイルシステム判定部２５６が、ファイスシステム３を備える第１の記憶媒体３０６が電子機器本体５に接続された場合、ファイルシステム名（ファイルシステム３）、リード／ライト性能（１００Ｍｂｐｓ）、及びデータ修復機能の有無等の情報を第１の記憶媒体３０６から取得する。ファイルシステム判定部２５６は、データ修復機能が無いことから、ファイルシステム３が電子機器本体５で正常に動作できないと判定する。このとき、ファイルシステム判定部２５６は、ファイルシステム３が電子機器本体５に適合しないことを示す判定結果のフラグ、例えば、図３に示すように“ＮＧ”とファイルシステム３の判定結果の欄に設定する。
【００３９】
ここで、ファイルシステムは、一例として、ＸＦＳ、ＦＡＴ、及びｅｘｔ４等が挙げられる。ＸＦＳは、安定性や信頼性に優れる他、帯域保証等の機能もあり、外部機器である第１の記憶媒体３０６等に記録する場合でも、データ転送の遅れ等による録画エラー等が発生し難い。ＦＡＴは、管理領域の小ささや高速アクセス性、対応する装置が多く、汎用性が高い等のメリットがある。
【００４０】
個体判定部２５７は、電子機器本体５に接続された外部記憶媒体の個体情報を取得し、接続された外部記憶媒体の個体性能、例えば、転送速度等と、第１のテーブルＴ１と、電子機器本体５の情報とを参照して、接続された外部記憶媒体の個体性能で、電子機器本体５と外部記憶媒体との間でデータの転送が正常に実行されるかどうかを判定する。すなわち、個体判定部２５７は、外部記憶媒体の処理速度が電子機器本体５及びファイルシステムに適合するかどうかを判定する。ここで、データ転送が正常に実行されることとは、例えば、電子機器本体５と外部記憶媒体との間でのデータ転送に遅れが発生しない状態で、電子機器本体５が、接続された外部記憶媒体（第１の記憶媒体３０６及び第２の記憶媒体３０８）とデータの転送ができることを示す。また、処理速度は、外部記憶媒体がＨＤＤである場合には回転速度（ｒｐｍ）等である。
【００４１】
また、個体判定部２５７は、予め、又は適宜、分析やネットワーク制御部２０４を介してネットワーク等で固体情報を取得することもできる。このとき、個体判定部２５７は、個体名を取得するのみで、個体名に紐付けられた個体性能と、第１のテーブルＴ１と、電子機器本体５の情報とを参照して、電子機器本体５と接続された外部記憶媒体と間でデータ転送が正常に実行されるかどうか判定することができる。  
個体判定部２５７は、取得した個体性能や判定結果を個体情報のテーブルとしてＲＯＭ２５２、ＲＡＭ２５３、及び／又はＮＶＭ２５４等の記憶媒体に格納する。
【００４２】
図４（ａ）は、個体の転送速度の関係の一例を示し、図４（ｂ）は、個体情報のテーブルＴ２の一例を示す図である。  
図４（ａ）に示すように、転送速度Ｖ１は、転送速度Ｖ２及びＶ３よりも大きいものとする。また、転送速度Ｖ２は、転送速度Ｖ３よりも大きいものとする。
【００４３】
図４（ｂ）のテーブルＴ２（以下、第２のテーブルＴ２）は、個体名と、識別番号と、転送速度と、電子機器本体５に適合するかどうかの判定結果等の個体情報を含むテーブルである。個体判定部２５７は、例えば、個体情報のテーブルとして第２のテーブルＴ２をＲＯＭ２５２、ＲＡＭ２５３、及び／又はＮＶＭ２５４等の記憶媒体に格納している。例えば、個体判定部２５７は、ＵＳＢインターフェース２０５に第１の記憶媒体３０６が接続された場合や、カードホルダ２０８に第２の記憶媒体３０８が接続された場合、第１の記憶媒体３０６や第２の記憶媒体３０８の個体情報を取得し、電子機器本体５に接続された外部記憶媒体が適合するかどうかを判定する。
【００４４】
図４（ｂ）において、個体判定部２５７は、転送速度Ｖ２以上である記憶媒体（記憶装置）を電子機器本体５に適合する外部記憶媒体の基準に設定しているものとする。また、電子機器本体５には、外部記憶媒体として第１の記憶媒体３０６が接続されるものとする。
【００４５】
例えば、個体判定部２５７が、個体１の第１の記憶媒体３０６が電子機器本体５に接続された場合、個体名（個体１）、識別番号Ａ１、及び転送速度Ｖ１等の情報を第１の記憶媒体３０６から取得する。個体判定部２５７は、転送速度Ｖ１と、第１のテーブルＴ１と、電子機器本体５の情報とを参照して、個体１が電子機器本体５に適合するかどうかを判定する。このとき、個体判定部２５７は、個体１が電子機器本体５に適合することを示す判定結果のフラグ、例えば、図４（ｂ）に示すように“ＯＫ”を個体１の判定結果の欄に設定する。
【００４６】
例えば、個体判定部２５７が、個体２の第１の記憶媒体３０６が電子機器本体５に接続された場合、個体名（個体３）、識別番号Ａ２、及び転送速度Ｖ２等の情報を第１の記憶媒体３０６から取得する。個体判定部２５７は、転送速度Ｖ２と、第１のテーブルＴ１と、電子機器本体５の情報とを参照して、個体２が電子機器本体５に適合するかどうかを判定する。このとき、個体判定部２５７は、個体２が電子機器本体５に適合することを示す判定結果のフラグ、例えば、図４（ｂ）に示すように“ＯＫ”を個体２の判定結果の欄に設定する。
【００４７】
例えば、個体判定部２５７が、個体３の第１の記憶媒体３０６が電子機器本体５に接続された場合、個体名（個体３）、識別番号Ａ３、及び転送速度Ｖ３等の情報を第１の記憶媒体３０６から取得する。個体判定部２５７は、転送速度Ｖ３と、第１のテーブルＴ１と、電子機器本体５の情報と、を参照して、個体３が電子機器本体５に適合するかどうかを判定する。このとき、個体判定部２５７は、個体３が電子機器本体５に適合しないことを示す判定結果のフラグ、例えば、図４（ｂ）に示すように“ＮＧ”を個体３の判定結果の欄に設定する。
【００４８】
図５は、本実施形態の電子機器１のリード／ライト動作の制御方法を示すフローチャートである。  
システムコントローラ２５０は、電子機器本体５に外部記憶媒体（第１の記憶媒体３０６及び／又は第２の記憶媒体３０８等）が接続されたことを検出する（Ｓ５０１）。  
システムコントローラ２５０は、電子機器本体５の情報と第１のテーブルＴ１（例えば、リード／ライト性能とデータ修復機能の有無と）とを参照して、電子機器本体５に接続された外部記憶媒体のファイルシステムが適合するかどうかを判定する（Ｓ５０２）。
【００４９】
外部記憶媒体のファイルシステムが電子機器本体５に適合すると判定した場合（Ｓ５０２のＹＥＳ）、システムコントローラ２５０は、電子機器本体５に接続された外部記憶媒体の個体情報を参照して、外部記憶媒体の個体性能が電子機器本体５に適合するかどうかを判定する（Ｓ５０３）。外部記憶媒体のファイルシステムが電子機器本体５に適合しないと判定した場合（Ｓ５０２のＮＯ）、システムコントローラ２５０は、後述するＳ５０６の処理へ進む。
【００５０】
外部記憶媒体の個体性能が電子機器本体５に適合すると判定した場合（Ｓ５０３のＹＥＳ）、システムコントローラ２５０は、電子機器本体５に接続された外部記憶媒体をリード／ライト可能な記憶媒体として認識する（Ｓ５０４）。  
システムコントローラ２５０は、電子機器本体５に接続された外部記憶媒体で各種データをリード／ライト動作を実行可能に制御する（Ｓ５０５）。
【００５１】
Ｓ５０３の処理へ戻って、外部記憶媒体の個体性能が電子機器本体５に適合しないと判定した場合、すなわち、外部機器媒体及び電子機器本体５の間でデータ転送に遅れ等が発生すると判定した場合（Ｓ５０３のＮＯ）、システムコントローラ２５０は、電子機器本体５に接続された外部記憶媒体をリードのみ可能な記憶媒体として認識する（Ｓ５０６）。  
システムコントローラ２５０は、電子機器本体５に接続された外部記憶媒体で各種データをリード動作のみを実行可能に制御する（Ｓ５０７）。
【００５２】
本実施形態によれば、電子機器１は、外部記憶媒体が電子機器本体５に接続された場合、接続された外部記憶媒体のファイルシステム及び個体性能に応じて、リード／ライト動作を実行可能であるかどうかを制御する。その結果、電子機器１は、外部記憶媒体が接続された場合に安定したリード／ライト動作を保証することができる。
【００５３】
次に他の実施形態に係る磁気ディスク装置、および測定方法について説明する。他の実施形態において、前述の実施形態と同一の部分には同一の参照符号を付してその詳細な説明を省略する。
【００５４】
（第２実施形態）  
第２の実施形態の電子機器本体５は、コンテンツ保護機能に対応している。コンテンツ保護機能は、電子機器本体５で受信される映像又は高画質映像等のコンテンツを同等のコンテンツ保護機能を備える機器以外でのライト及び／又はリード動作を制限する機能である。ここで、コンテンツ保護機能は、例えば、ＳｅｅＱＶａｕｌｔ（登録商標）である。ＳｅｅＱＶａｕｌｔは、デジタルテレビ放送の番組（ＨＤ番組）を録画した電子機器以外の対応機器間における再生互換性と強固なセキュリティとを同時に実現するコンテンツ保護技術である。
【００５５】
図６は、第２の実施形態の電子機器本体５の一例を示すブロック図である。  
電子機器本体５のシステムコントローラ２５０は、さらに、データ判定部２５８と、フォーマット部２５９とを備える。システムコントローラ２５０は、これらを回路としてそれぞれを電気的に接続し、各種制御を実行する。また、システムコントローラ２５０は、これらをファームウェアとして備えていてもよい。
【００５６】
データ判定部２５８は、外部記憶媒体、例えば、第１の記憶媒体３０６及び第２の記憶媒体３０８が接続された場合に外部記憶媒体にライトされているデータを判定する。例えば、データ判定部２５８は、接続された外部記憶媒体が、コンテンツ保護機能に対応しているデータ、すなわちコンテンツ保護機能で保護されているデータ（以下、コンテンツ保護機能用データ（保護データ））、コンテンツ保護機能に対応していないデータ（以下、ＰＶＲ用データ）、又はデータを保持していないかどうかを判定する。データ判定部２５８は、取得したデータの情報や判定結果をＲＯＭ２５２、ＲＡＭ２５３、及び／又はＮＶＭ２５４等の記憶媒体に格納する。
【００５７】
さらに、リード／ライト制御部２５５は、データ判定部２５８で取得された情報及び判定結果と電子機器本体５の情報とに応じて、外部記憶媒体へのリード及びライト動作を制御することができる。リード／ライト制御部２５５は、電子機器本体５がコンテンツ保護機能に対応しているかどうか等を判定し、外部記憶媒体への各種データ、例えば、ＨＤ番組の録画データ等のリード／ライト動作を制御する。
【００５８】
ファイルシステム判定部２５６は、外部記憶媒体が電子機器本体５に接続された場合、ファイルシステムがコンテンツ保護（例えば、ＳｅｅＱＶａｕｌｔ）用データ、及びＰＶＲ（Ｐｅｒｓｏｎａｌ  Ｖｉｄｅｏ  Ｒｅｃｏｒｄｅｒ）用データに対応しているかどうかを示す情報を取得できる。ファイルシステム判定部２５６は、取得したファイルシステムの各種データへの対応情報をファイルシステムの情報としてＲＯＭ２５２、ＲＡＭ２５３、及び／又はＮＶＭ２５４等の記憶媒体に格納する。
【００５９】
また、ファイルシステム判定部２５６は、予め、又は適宜、分析やネットワーク制御部２０４を介してネットワーク等で、各ファイルシステムの各種データへの対応情報を取得することもできる。このとき、ファイルシステム判定部２５６は、ファイルシステム名を取得するのみで、ファイルシステム名に紐付けられた各種データへの対応情報を確認することができる。
【００６０】
ファイルシステム判定部２５６は、電子機器本体５に接続された外部記憶媒体のファイルシステムが所定の性能や各種データへ対応していない場合、この外部記憶媒体を電子機器本体５で使用できない記憶媒体として認識する。
【００６１】
フォーマット部２５９は、外部記憶媒体を任意のファイルシステムでフォーマットする。フォーマット部２５９は、ファイルシステム判定部２５６、個体判定部２５７、及びデータ判定部２５８で取得された情報や判定結果等を参照して、接続される外部記憶装置にフォーマットを実行することもできる。ここで、フォーマットとは、例えばＸＳＦやＦＡＴ等のファイルシステムとして認識／利用可能とするための初期化（イニシャライズ）作業のことをいう。このフォーマット処理には、例えばファイルシステムの識別子やパーティション情報、ディレクトリやファイルの名前や構成情報等の初期値を記憶する処理等が含まれる。例えば、フォーマット部２５９は、ファイルシステム判定部２５６によって電子機器本体５で使用できない記憶媒体と認識された外部記憶媒体、例えば、第１の記憶媒体３０６及び第２の記憶媒体を電子機器本体５で使用可能なデータ記録方式にフォーマットする。
【００６２】
図７は、本実施形態の外部記憶媒体のファイルシステムの情報のテーブルＴ３の一例を示す図である。  
例えば、ファイルシステム判定部２５６は、外部記憶媒体としてＵＳＢインターフェース２０５に第１の記憶媒体３０６やカードホルダ２０８に第２の記憶媒体３０８等が接続された場合、外部記憶媒体のファイルシステムの情報を取得し、図７に示すように外部記憶媒体のファイルシステムの情報のテーブルＴ３（以下、第３のテーブルＴ３）としてＲＯＭ２５２、ＲＡＭ２５３、及び／又はＮＶＭ２５４等の記憶媒体に格納する。
【００６３】
図７の第３のテーブルＴ３に示すように、リード／ライト性能は、ファイルシステム４がファイルシステム５及びその他のファイルシステムよりも高いものとする。また、ファイルシステム５は、その他のファイルシステムよりもリード／ライト性能が高い。なお、図７では、ファイルシステムのリード／ライト性能をファイルシステム毎に相対的に示したが、ファイルシステム判定部２５６は、電子機器本体５に外部記憶媒体が接続された場合、各ファイルシステムのリード／ライト性能を個別の絶対値として取得することもできる。
【００６４】
例えば、ファイルシステム４、ファイルシステム５、及びその他のファイルシステムは、それぞれ、ＸＦＳ、ＦＡＴ、及びｅｘｔ４等のいずれかである。ここで、その他のファイルシステムは、ファイルシステム４及びファイルシステム５以外のファイルシステムである。なお、本実施形態において、外部記憶媒体のファイルシステムがファイルシステム５及びその他のファイルシステムの場合、外部記憶媒体が電子機器本体５で正常に動作できないものとする。
【００６５】
図７に示すように、ファイルシステム４は、データ修復機能を有し、コンテンツ保護機能用データに対応し、ＰＶＲ用データに対応するものとする。ファイルシステム５は、データ修復機能を有し、コンテンツ保護機能用データに対応し、ＰＶＲ用データに非対応とする。その他のファイルシステムは、データ修復機能が無く、コンテンツ保護機能用データに非対応であり、ＰＶＲ用データに対応するものとする。
【００６６】
図８は、本実施形態の電子機器１のリード／ライト動作の制御方法を示すフローチャートである。  
システムコントローラ２５０は、電子機器本体５に外部記憶媒体（第１の記憶媒体３０６及び／又は第２の記憶媒体３０８等）が接続されたことを検出する（Ｓ８０１）。  
システムコントローラ２５０は、接続された外部記憶媒体がコンテンツ保護機能、例えば、ＳｅｅＱＶａｕｌｔに対応しているかどうかを判定する（Ｓ８０２）。
【００６７】
コンテンツ保護機能に対応していると判定した場合（Ｓ８０２のＹＥＳ）、システムコントローラ２５０は、外部記憶媒体のファイルシステムを確認する（Ｓ８０３）。  
外部記憶媒体のファイルシステムが図７に示すファイルシステム４であると判定した場合（Ｓ８０３のファイルシステム４）、システムコントローラ２５０は、外部記憶媒体の個体性能が電子機器本体５に適合するかどうかを判定する（Ｓ８０４）。
【００６８】
外部記憶媒体の個体性能が電子機器本体５に適合すると判定した場合（Ｓ８０４のＹＥＳ）、システムコントローラ２５０は、外部記憶媒体に格納されているデータを確認する（Ｓ８０５）。外部記憶媒体の個体性能が電子機器本体５に適合しないと判定した場合（Ｓ８０４のＮＯ）、システムコントローラ２５０は、後述するＳ８０８の処理へ進む。
【００６９】
外部記憶媒体に格納されているデータがコンテンツ保護機能用データであると判定した場合（Ｓ８０５のコンテンツ保護）、システムコントローラ２５０は、外部記憶媒体をリード／ライト可能なコンテンツ保護機能に対応した記憶媒体として認識する（Ｓ８０６）。外部記憶媒体にデータが格納されていないと判定した場合（Ｓ８０５の無し）、システムコントローラ２５０は、後述するＳ８１１の処理へ進む。外部記憶媒体に格納されているデータがＰＶＲ用データであると判定した場合（Ｓ８０５のＰＶＲ）、システムコントローラ２５０は、後述するＳ８１７の処理へ進む。  
システムコントローラ２５０は、電子機器本体５に接続された外部記憶媒体でコンテンツ保護機能用データをリード／ライト動作を実行可能に制御する（Ｓ８０７）。
【００７０】
Ｓ８０３の処理に戻って、外部記憶媒体のファイルシステムが図７に示すファイルシステム５であると判定した場合、すなわち、外部機器媒体及び電子機器本体５の間でデータ転送に遅れ等が発生すると判定した場合（Ｓ８０３のファイルシステム５）、システムコントローラ２５０は、外部記憶媒体に格納されているデータを確認する（Ｓ８０８）。
【００７１】
外部記憶媒体に格納されているデータがコンテンツ保護機能用データである判定した場合（Ｓ８０８のコンテンツ保護）、システムコントローラ２５０は、外部記憶媒体をリードのみ可能なコンテンツ保護機能に対応した記憶媒体として認識する（Ｓ８０９）。外部記憶媒体にデータが格納されていないと判定した場合（Ｓ８０８の無し）、システムコントローラ２５０は、後述するＳ８１１の処理へ進む。  
システムコントローラ２５０は、電子機器本体５に接続された外部記憶装置でコンテンツ保護機能用データをリード動作のみを実行可能に制御する（Ｓ８１０）。
【００７２】
Ｓ８０３の処理に戻って、外部記憶媒体のファイルシステムが図７に示すその他のファイルシステムであると判定した場合（Ｓ８０３のその他のファイルシステム）、システムコントローラ２５０は、外部記憶媒体を電子機器本体５でそのままでは使用できない記憶媒体として認識する（Ｓ８１１）。
【００７３】
システムコントローラ２５０は、外部記憶媒体を電子機器本体５で使用されるファイルシステム、例えば、ファイルシステム４でコンテンツ保護機能に対応する記憶媒体としてフォーマットする（Ｓ８１２）。  
システムコントローラ２５０は、外部記憶媒体をリード／ライト可能なコンテンツ保護機能に対応した記憶媒体として認識する（Ｓ８１３）。  
システムコントローラ２５０は、電子機器本体５に接続された外部記憶媒体でコンテンツ保護機能用データをリード／ライト動作を実行可能に制御する（Ｓ８１４）。  
Ｓ８０２の処理に戻って、コンテンツ保護機能に対応していないと判定した場合（Ｓ８０２のＮＯ）、システムコントローラ２５０は、外部記憶媒体のファイルシステムを確認する（Ｓ８１５）。
【００７４】
外部記憶媒体のファイルシステムが図７に示すファイルシステム４であると判定した場合（Ｓ８１５のファイルシステム４）、システムコントローラ２５０は、外部記憶媒体に格納されているデータを確認する（Ｓ８１６）。外部記憶媒体のファイルシステムが図７に示すその他のファイルシステムであると判定した場合（Ｓ８１５のその他のファイルシステム）、システムコントローラ２５０は、後述するＳ８１９の処理へ進む。
【００７５】
外部記憶媒体に格納されているデータがＰＶＲ用データであると判定した場合（Ｓ８１６のＰＶＲ）、システムコントローラ２５０は、外部記憶媒体をリード／ライト可能なＰＶＲ等の記憶媒体として認識する（Ｓ８１７）。  
システムコントローラ２５０は、電子機器本体５に接続された外部記憶媒体でＰＶＲ用データをリード／ライト動作を実行可能に制御する（Ｓ８１８）。
【００７６】
Ｓ８１６の処理に戻って、外部記憶媒体のファイルシステムが図７に示すその他のファイルシステムであると判定した場合（Ｓ８１６のその他のファイルシステム）、システムコントローラ２５０は、外部記憶媒体を電子機器本体５でそのままでは使用できない記憶媒体として認識する（Ｓ８１９）。
【００７７】
システムコントローラ２５０は、外部記憶媒体を電子機器本体５で使用されるファイルシステム、例えば、ファイルシステム４でＰＶＲ用データに対応する記憶媒体としてフォーマットする（Ｓ８２０）。  
システムコントローラ２５０は、外部記憶媒体をリード／ライト可能なＰＶＲ等の記憶媒体として認識する（Ｓ８２１）。  
システムコントローラ２５０は、電子機器本体５に接続された外部記憶媒体でＰＶＲ用データをリード／ライト動作を実行可能に制御する（Ｓ８２２）。  
本実施形態によれば、電子機器１は、外部記憶媒体がコンテンツ保護機能に対応しているかどうかを判定し、外部記憶媒体へのリード／ライト動作を制御する。その結果、電子機器１は、コンテンツ保護機能に対応及び非対応に関わらず、外部記憶媒体が接続された場合に安定したリード／ライト動作を保証することができる。
【００７８】
次に第２の実施形態に係る磁気ディスク装置の変形例について説明する。変形例において、前述した実施形態と同一の部分には同一の参照符号を付してその詳細な説明を省略する。
【００７９】
（変形例１）  
変形例１の電子機器本体５は、外部記憶媒体が接続された場合、システムコントローラの判定結果に応じて表示部１１８に各種ポップアップを表示する。  
図９、図１０（ａ）及び図１０（ｂ）は、変形例に係るポップアップの一例を示す図である。  
システムコントローラ２５０は、外部記憶媒体でリード動作のみを実行可能に制御する場合、「読み取り専用で認識しました。」という表示信号を生成し、ＯＳＤ信号生成部１１５を介してグラフィック処理部１１６へ出力する。グラフィック処理部１１６は、信号処理部１１３から供給される映像信号にＯＳＤ信号を重畳して映像処理部１１７へ出力する。映像処理部１１７は、映像信号及びＯＳＤ信号を表示可能な出力方式に変換して、表示部１１８へ出力する。図９に示すように、表示部１１８は、ポップアップ＜読み取り専用で認識しました。＞Ｐ９１を表示する。
【００８０】
また、システムコントローラ２５０は、外部機能媒体でコンテンツ保護用にフォーマットする場合、「コンテンツ保護用にフォーマットしますか？」とい表示信号を生成する。このとき、図１０（ａ）に示すように、表示部１１８は、ポップアップ＜コンテンツ保護機能用にフォーマットしますか？＞Ｐ１０１を表示する。このとき、ポップアップＰ１０１は、＜ＹＥＳ＞ボタンＢ１０１と、＜ＮＯ＞ボタンＢ１０２と、を備えている。ユーザは、リモコン３０２等の携帯端末を介して、＜ＹＥＳ＞ボタンＢ１０１、又は＜ＮＯ＞ボタンＢ１０２を選択することによって、外部記憶媒体をコンテンツ保護機能用にフォーマットを実行するかどうかを選択することができる。ユーザが＜ＹＥＳ＞ボタンＢ１０１を選択した場合、システムコントローラ２５０は、外部記憶媒体をコンテンツ保護機能用に所定のファイルシステムでフォーマットする。ユーザが＜ＮＯ＞ボタンＢ１０２を選択した場合、システムコントローラ２５０は、外部記憶媒体にフォーマットを実行しない。
【００８１】
システムコントローラ２５０は、外部機能媒体でＰＶＲ用にフォーマットする場合、「ＰＶＲ用にフォーマットしますか？」とい表示信号を生成する。このとき、図１０（ｂ）に示すように、表示部１１８は、ポップアップ＜ＰＶＲ用にフォーマットしますか？＞Ｐ１０２を表示する。このとき、ポップアップＰ１０２は、＜ＹＥＳ＞ボタンＢ１０３と、＜ＮＯ＞ボタンＢ１０４と、を備えている。ユーザは、リモコン３０２等の携帯端末を介して、＜ＹＥＳ＞ボタンＢ１０３、又は＜ＮＯ＞ボタンＢ１０４を選択することによって、外部記憶媒体をＰＶＲ用にフォーマットを実行するかどうかを選択することができる。ユーザが＜ＹＥＳ＞ボタンＢ１０３を選択した場合、システムコントローラ２５０は、外部記憶媒体をＰＶＲ用に所定のファイルシステムでフォーマットする。ユーザが＜ＮＯ＞ボタンＢ１０４を選択した場合、システムコントローラ２５０は、外部記憶媒体にフォーマットを実行しない。
【００８２】
変形例１によれば、電子機器本体５は、外部記憶媒体が接続された場合、システムコントローラの判定結果に応じて表示部１１８に各種ポップアップを表示する。その結果、ユーザは、接続された外部記憶媒体で可能な動作を容易に把握することができる。また、ユーザは、接続された外部記憶媒体のデータをフォーマットするかどうかを選択することができる。  
前述の実施形態によれば、電子機器１は、外部記憶媒体が接続された場合に安定したリード／ライト動作を保証することができる。
【００８３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許の請求の範囲に記載された発明とその均等の範囲に含まれるものである。
【符号の説明】
【００８４】
１…電子機器、１０４…アンテナ部、１０５…外部入力端子、１０６、１０７…外部出力端子、１１１…入力部、１１２…復調部、１１３…信号処理部、１１５…ＯＳＤ信号生成部、１１６…グラフィック処理部、１１７…映像処理部、１１８…表示部、１１９…音声処理部、１２０…音声出力部、２０１…操作部、２０２…受信部、２０３…通信インターフェース、２０４…ネットワーク制御部、２０５…ＵＳＢインターフェース、２０６…ＨＤＭＩインターフェース、２０７…カードインターフェース、２０８…カードホルダ、２５０…システムコントローラ、２５１…ＣＰＵ、２５２…ＲＯＭ、２５３…ＲＡＭ、２５４…ＮＶＭ、２５５…リード／ライト制御部、２５６…ファイルシステム判定部、２５７…個体判定部、２５８…データ判定部、２５９…フォーマット部、３０６…第１の記憶媒体、３０８…第２の記憶媒体。
【図１】
2017021565.tif 000003
【図２】
2017021565.tif 000004
【図３】
2017021565.tif 000005
【図４】
2017021565.tif 000006
【図５】
2017021565.tif 000007
【図６】
2017021565.tif 000008
【図７】
2017021565.tif 000009
【図８】
2017021565.tif 000010
【図９】
2017021565.tif 000011
【図１０】
2017021565.tif 000012